(57)【特許請求の範囲】
【請求項１】
杭基礎を除く基礎上に連結部材が接合された鉄骨基礎梁構造であって、
前記基礎は、
コンクリート部と、
前記コンクリート部に埋設された埋設部、及び前記埋設部に固定されると共に前記コンクリート部の上面から突出するシアコッターを有する鋼製部材と、
を備え、
前記シアコッターは前記埋設部よりも細径に形成され、
前記連結部材は、前記シアコッターの周囲を囲む筒部を有すると共に、前記筒部によって前記シアコッターが囲まれるように前記基礎上に設置され、
前記鋼製部材と前記連結部材とは、前記筒部内に充填されたモルタルによって互いに接合されている、鉄骨基礎梁構造。
【請求項２】
前記シアコッターは、
前記埋設部から上方に向けて突出するコッター本体部と、
前記コッター本体部の上端に設けられると共に、前記コッター本体部の外面から外側に向けて張り出すコッター張出部を有するコッター側板部と、
を備え、
前記筒部は、
前記シアコッターの周囲を囲む筒本体部と、
前記筒本体部の下端に設けられると共に、前記筒本体部の内周面から前記筒本体部の内方に向かって張り出す筒張出部を有する筒側板部と、
を備える、請求項１に記載の鉄骨基礎梁構造。
【請求項３】
杭基礎を除く基礎上に連結部材が接合された鉄骨基礎梁構造であって、
前記基礎は、
コンクリート部と、
上面が露出するように前記コンクリート部に埋設されると共に、前記上面から下方に向かって延びる筒部を有する鋼製部材と、
を備え、
前記連結部材は、下方に向かって突出するシアコッターを有すると共に、前記シアコッターが前記筒部内に挿し込まれるように前記基礎上に載置され、
前記鋼製部材と前記連結部材とは、前記筒部内に充填されたモルタルによって互いに接合されている、鉄骨基礎梁構造。
【請求項４】
前記筒部は、
前記シアコッターの周囲を囲む筒本体部と、
前記筒本体部の上端に設けられると共に、前記筒本体部の内周面から前記筒本体部の内方に向かって張り出す筒張出部を有する筒側板部と、
を備え、
前記シアコッターは、
下方に向けて突出するコッター本体部と、
前記コッター本体部の下端に設けられると共に、前記コッター本体部の外面から外側に向けて張り出すコッター張出部を有するコッター側板部と、
を備える、請求項３に記載の鉄骨基礎梁構造。
【請求項５】
前記基礎は、下端が前記コンクリート部に埋設されると共に、上端が前記鋼製部材の上面から突出するアンカーボルトを更に備え、
前記連結部材は、前記アンカーボルト及び前記アンカーボルトに取り付けられたナットによって前記鋼製部材に更に接合されている、請求項１から４のいずれか一項に記載の鉄骨基礎梁構造。
【請求項６】
前記連結部材は、柱又は束である、請求項１から５のいずれか一項に記載の鉄骨基礎梁構造。
【請求項７】
前記連結部材は、束であり、
前記束に連結された柱及び梁を更に備える、請求項１から５のいずれか一項に記載の鉄骨基礎梁構造。
【発明の詳細な説明】
【技術分野】
【０００１】
本発明の一側面は、鉄骨基礎梁構造に関する。
【背景技術】
【０００２】
建物の鉄骨基礎梁構造においては、コンクリート製の基礎に鋼製の束が接合されている。この場合、束のベースプレートに設けられた孔に基礎の上面から突出するアンカーボルトを通し、アンカーボルトに取り付けたナットによって束を基礎に接合している。このような、アンカーボルトを用いて束を基礎に接合する構成が、例えば特許文献１に記載されている。
【先行技術文献】
【特許文献】
【０００３】
【特許文献１】特開平８−６０６７６号公報
【発明の概要】
【発明が解決しようとする課題】
【０００４】
ここで、アンカーボルト及びナットのみを用いて束を基礎に接合する場合、束のベースプレートに設けることができる孔の大きさが法令によって定められている（例えば、アンカーボルトの直径に対して＋５ｍｍまで大きい直径の孔をあけることができる。）。このように、束のベースプレートに設けることができる孔の大きさについての制限があるため、基礎の水平方向の施工誤差を束のベースプレートに設けられた孔の大きさによって吸収することは困難である。
【０００５】
そこで、本発明の一側面は、基礎の水平方向の施工誤差を容易に吸収可能な鉄骨基礎梁構造を提供することを目的とする。
【課題を解決するための手段】
【０００６】
本発明の一側面は、杭基礎を除く基礎上に連結部材が接合された鉄骨基礎梁構造であって、基礎は、コンクリート部と、コンクリート部に埋設された埋設部、及び埋設部に固定されると共にコンクリート部の上面から突出するシアコッターを有する鋼製部材と、を備え、シアコッターは埋設部よりも細径に形成され、連結部材は、シアコッターの周囲を囲む筒部を有すると共に、筒部によってシアコッターが囲まれるように基礎上に設置され、鋼製部材と連結部材とは、筒部内に充填されたモルタルによって互いに接合されている。
【０００７】
この鉄骨基礎梁構造では、束の筒部と、鋼製部材のシアコッターとの隙間の分だけ、束を水平方向に移動させることができる。このため、筒部の大きさを、基礎の水平方向の施工誤差（シアコッターの位置ずれ）を吸収可能な大きさに形成しておくだけで、施工誤差を吸収しつつ、連結部材を所定の位置に設置することができる。このように、アンカーボルト及びナットのみを用いて基礎に束を固定する場合のような制限（アンカーボルトを通すベースプレートの孔の大きさの制限）が無いため、筒部の大きさを施工誤差を吸収可能な大きさに形成しておくだけで、基礎の水平方向の施工誤差を容易に吸収することができる。
【０００８】
シアコッターは、埋設部から上方に向けて突出するコッター本体部と、コッター本体部の上端に設けられると共に、コッター本体部の外面から外側に向けて張り出すコッター張出部を有するコッター側板部と、を備え、筒部は、シアコッターの周囲を囲む筒本体部と、筒本体部の下端に設けられると共に、筒本体部の内周面から筒本体部の内方に向かって張り出す筒張出部を有する筒側板部と、を備えていてもよい。例えば、連結部材を基礎から引き抜こうとする力が連結部材に加わった場合、コッター張出部と筒張出部との間に充填されたモルタルには、圧縮力が作用する。すなわち、コッター張出部と筒張出部との間に充填されたモルタルは、連結部材を基礎から引き抜こうとする力に抵抗する。このように、鉄骨基礎梁構造は、コッター張出部と筒張出部とを備えることによって、連結部材が引き抜かれることをより一層抑制できる。
【０００９】
本発明の他の側面は、杭基礎を除く基礎上に連結部材が接合された鉄骨基礎梁構造であって、基礎は、コンクリート部と、上面が露出するようにコンクリート部に埋設されると共に、上面から下方に向かって延びる筒部を有する鋼製部材と、を備え、連結部材は、下方に向かって突出するシアコッターを有すると共に、シアコッターが筒部内に挿し込まれるように基礎上に載置され、鋼製部材と連結部材とは、筒部内に充填されたモルタルによって互いに接合されている。
【００１０】
この鉄骨基礎梁構造では、筒部の大きさを、基礎の水平方向の施工誤差（シアコッターの位置ずれ）を吸収可能な大きさに形成しておくだけで、施工誤差を吸収しつつ、連結部材を所定の位置に設置することができる。このため、アンカーボルト及びナットのみを用いて基礎に連結部材を固定する場合におけるベースプレートの孔の大きさのように制限が無いため、筒部の大きさを施工誤差を吸収可能な大きさに形成しておくだけで、基礎の水平方向の施工誤差を容易に吸収することができる。
【００１１】
筒部は、シアコッターの周囲を囲む筒本体部と、筒本体部の上端に設けられると共に、筒本体部の内周面から筒本体部の内方に向かって張り出す筒張出部を有する筒側板部と、を備え、シアコッターは、下方に向けて突出するコッター本体部と、コッター本体部の下端に設けられると共に、コッター本体部の外面から外側に向けて張り出すコッター張出部を有するコッター側板部と、を備えていてもよい。例えば、連結部材を基礎から引き抜こうとする力が連結部材に加わった場合、コッター張出部と筒張出部との間に充填されたモルタルには、圧縮力が作用する。すなわち、コッター張出部と筒張出部との間に充填されたモルタルは、連結部材を基礎から引き抜こうとする力に抵抗する。このように、鉄骨基礎梁構造は、コッター張出部と筒張出部とを備えることによって、連結部材が引き抜かれることを抑制できる。
【００１２】
基礎は、下端がコンクリート部に埋設されると共に、上端が鋼製部材の上面から突出するアンカーボルトを更に備え、連結部材は、アンカーボルト及びアンカーボルトに取り付けられたナットによって鋼製部材に連結されていてもよい。このように、アンカーボルト等を用いて連結部材と鋼製部材とを更に連結することによって、連結部材と鋼製部材とをより強固に接合することができる。
【００１３】
連結部材は、柱又は束であってもよい。この場合、基礎に水平方向の施工誤差がある場合であっても、柱又は束を、基礎の施工誤差を容易に吸収しつつ基礎上の所定の位置に接合することができる。
【００１４】
連結部材は、束であり、束に連結された柱及び梁を更に備えていてもよい。この場合、基礎に水平方向の施工誤差がある場合であっても、柱及び梁が連結される束を、基礎の施工誤差を容易に吸収しつつ基礎上の所定の位置に接合することができる。
【発明の効果】
【００１５】
本発明の種々の側面によれば、基礎の水平方向の施工誤差を容易に吸収することができる。
【図面の簡単な説明】
【００１６】
【図１】第一実施形態に係る建物の束と基礎との接合部周りの概略構成を示す断面図である。
【図２】図２（ａ）は鋼製部材の正面図である。図２（ｂ）は鋼製部材の上面図である。
【図３】図３（ａ）は束の正面図である。図３（ｂ）は図３（ａ）におけるIIIb−IIIｂ線に沿った断面図である。
【図４】鋼製部材と束とが接続された状態を示す断面図である。
【図５】第二実施形態に係る建物の束と基礎との接合部周りの概略構成を示す断面図である。
【図６】図６（ａ）は鋼製部材の正面図である。図６（ｂ）は鋼製部材の上面図である。
【図７】図７（ａ）は束の正面図である。図７（ｂ）は図７（ａ）におけるVIIb−VIIｂ線に沿った断面図である。
【図８】鋼製部材と束とが接続された状態を示す断面図である。
【発明を実施するための形態】
【００１７】
以下、本発明の鉄骨基礎梁構造を適用した建物の実施形態について図面を参照しながら説明する。なお、図面の説明において同一の要素には同一の符号を付し、重複する説明を省略する。
【００１８】
（第一実施形態）
本発明の鉄骨基礎梁構造を適用した第一実施形態の建物について説明する。図１に示す建物Ｘ１は、基礎１と、基礎１上に建てられた上部構造体２とを含む鉄骨造の住宅である。基礎１は、コンクリート部１１、及び鋼製部材１２を有している。なお、基礎１は、コンクリート部１１及び鋼製部材１２以外にも鉄筋などの部材を有している。基礎１は、コンクリート部１１及び鋼製部材１２を少なくとも有していれば、布基礎等、種々の基礎構造を採用することができる。
【００１９】
上部構造体２は、複数の束（連結部材）２１、複数本の柱２２、及び、隣り合う柱２２間或いは隣り合う束２１間等に架設される複数本の梁２３等によって構成されている。上部構造体２の束２１は、基礎１の鋼製部材１２に接合されている。上部構造体２は、基礎１によって支持されている。
【００２０】
次に、基礎１と上部構造体２との接合部周りにおける各部の詳細について説明する。図２（ａ）及び図２（ｂ）に示すように鋼製部材１２は、埋設部１１０、及びシアコッター１２０を有している。埋設部１１０は、天板部１１１、底板部１１２、複数の支柱１１３、及び複数の連結部材１１４を有している。天板部１１１は、底板部１１２の上方に配置されている。天板部１１１と底板部１１２とは、支柱１１３によって連結されている。連結部材１１４は、水平方向において隣接する支柱１１３同士を連結している。図１に示すように、埋設部１１０は、天板部１１１の上面がコンクリート部１１の上面に露出するように、コンクリート部１１内に埋設されている。
【００２１】
天板部１１１の上面には、束２１が載置される。底板部１１２は、基礎１の底部に配置されたコンクリート体（例えば、捨てコンクリート）等に連結されていてもよい。なお、埋設部１１０は、束２１が載置される天板部１１１を有していれば、上述した構造以外の構造であってもよい。
【００２２】
シアコッター１２０は、天板部１１１の上面に固定されている。シアコッター１２０は、コンクリート部１１の上面から突出している（図１参照）。シアコッター１２０は、コッター本体部１２１、及びコッター側板部１２２を有している。コッター本体部１２１は、天板部１１１の上面から上方に向かって突出する部材である。本実施形態において、コッター本体部１２１における水平方向の断面形状は、十字状となっている。
【００２３】
コッター側板部１２２は、コッター本体部１２１の上端に固定されている。コッター側板部１２２は、コッター本体部１２１の外面１２１ａから外側に向けて張り出すコッター張出部１２２ａを有している。すなわち、鉛直方向に沿って見たときに、コッター側板部１２２におけるコッター本体部１２１と接続されていない部位が、コッター張出部１２２ａとなる。コッター張出部１２２ａの下面は、天板部１１１の上面に対向している。
【００２４】
なお、コッター本体部１２１の形状は、断面十字状以外の形状であってもよい。また、コッター側板部１２２の形状は、図２（ｂ）では四角形としたが、コッター張出部１２２ａを有していれば、四角形以外の形状であってもよい。
【００２５】
図３（ａ）及び図３（ｂ）に示すように束２１は、連結部２１０、及び筒部２２０を有している。連結部２１０は、内部に孔２１０ａを有する四角筒状に形成されている。連結部２１０の内部の孔２１０ａは、鉛直方向に沿って延びている。連結部２１０の上端には、柱２２が連結される（図１参照）。連結部２１０の側面には、梁２３が連結される。
【００２６】
筒部２２０は、筒本体部２２１、及び筒側板部２２２を有している。筒本体部２２１における水平方向の断面形状は、四角形の枠状となっている。筒本体部２２１の上端は、連結部２１０の下端に固定されている。以下、筒本体部２２１によって囲まれる空間を内部空間Ｒという。
【００２７】
筒側板部２２２は、筒本体部２２１の下端に固定されている。筒側板部２２２には、四角形の挿入孔２２２ａが設けられている。筒側板部２２２の挿入孔２２２ａと、筒本体部２２１の内部空間Ｒとは連通している。筒側板部２２２は、筒本体部２２１の内周面から筒本体部２２１の内方に向かって張り出す筒張出部２２２ｂを有している。筒張出部２２２ｂの上面は、筒本体部２２１の内部空間Ｒ側を向いている。すなわち、挿入孔２２２ａは、筒本体部２２１の内方に向かって張り出す筒張出部２２２ｂの先端部によって形成されている。
【００２８】
挿入孔２２２ａは、シアコッター１２０を挿通可能な大きさに形成されている。筒本体部２２１は、シアコッター１２０の周囲を囲むことができる大きさに形成されている。
【００２９】
次に、束２１と基礎１とを接合するための構成について説明する。図４に示すように、鋼製部材１２の天板部１１１上に束２１が載置されている。このとき、束２１は、筒本体部２２１によってシアコッター１２０の周囲が囲まれるように天板部１１１上に載置される。天板部１１１上に束２１が載置された状態で、筒本体部２２１内にはモルタルＭが充填されている。束２１と鋼製部材１２とは、筒本体部２２１内に充填されたモルタルＭによって互いに接合されている。
【００３０】
作業手順として、例えば、作業者は、束２１が所定の位置に配置されるように束２１を天板部１１１上に載置する。作業者は、束２１の筒部２２０と、鋼製部材１２のシアコッター１２０との隙間の分だけ、束２１を水平方向に移動させて配置位置の調整を行うことができる。その後、作業者は、束２１の上部から連結部２１０の孔２１０ａを介して筒本体部２２１内にモルタルＭを充填し、束２１と鋼製部材１２とを接合する。なお、シアコッター１２０のコッター側板部１２２に孔が設けられていてもよい。この場合、モルタルＭを充填する際に、筒部２２０内にモルタルＭを容易に充填できる。
【００３１】
本実施形態は以上のように構成され、この鉄骨基礎梁構造では、束２１の筒部２２０と、鋼製部材１２のシアコッター１２０との隙間の分だけ、束２１を水平方向に移動させて配置位置の調整を行うことができる。このため、筒部２２０の大きさを、基礎１の水平方向の施工誤差（シアコッター１２０の位置ずれ）を吸収可能な大きさに形成しておくだけで、施工誤差を吸収しつつ、束２１を所定の位置に設置することができる。このように、アンカーボルト及びナットのみを用いて基礎に束を固定する場合のような制限（アンカーボルトを通すベースプレートの孔の大きさの制限）が無いため、筒部２２０の大きさを施工誤差を吸収可能な大きさに形成しておくだけで、基礎１の水平方向の施工誤差を容易に吸収することができる。
【００３２】
また、例えば、束２１を基礎１から引き抜こうとする力が束２１に加わった場合、シアコッター１２０のコッター張出部１２２ａと筒部２２０の筒張出部２２２ｂとの間に充填されたモルタルＭには、圧縮力が作用する。すなわち、コッター張出部１２２ａと筒張出部２２２ｂとの間に充填されたモルタルＭは、束２１を基礎１から引き抜こうとする力に抵抗する。このように、鉄骨基礎梁構造は、コッター張出部１２２ａと筒張出部２２２ｂとを備えることによって、束２１が引き抜かれることをより一層抑制できる。
【００３３】
束２１には、柱２２及び梁２３が連結される。このため、柱２２及び梁２３が連結される束２１は、所定の位置に精度良く設置されている必要がある。本実施形態の鉄骨基礎梁構造では、基礎１に水平方向の施工誤差がある場合であっても、柱２２及び梁２３が連結される束２１を、基礎１の施工誤差を容易に吸収しつつ基礎１上の所定の位置に接合することができる。
【００３４】
束２１と基礎１とは、アンカーボルトを用いずに接合されている。このように、アンカーボルトにナットを取り付ける作業を行うことなく、筒部２２０内にモルタルＭを充填するだけで、束２１を基礎１に容易に接合することができる。
【００３５】
束２１と鋼製部材１２とを接続するための構成要素（シアコッター１２０）が、束２１の外部には露出していない。このため、束２１の周囲に他の構成物を設置する場合に、束２１の周囲に配置する他の構成物と、束２１と鋼製部材１２とを接続するための構成要素とが干渉することが無い。
【００３６】
（第二実施形態）
本発明の鉄骨基礎梁構造を適用した第二実施形態の建物について説明する。第二実施形態の建物は、束と鋼製部材とがモルタルに加えてアンカーボルトも併用して連結されている点が、第一実施形態の建物に対して特に異なっている。以下、第一実施形態の建物Ｘ１との相違点を中心に説明する。また、第一実施形態の建物Ｘ１と同様の構成要素については同一符号を付して詳細な説明を省略する。
【００３７】
図５に示す建物Ｘ２は、基礎１Ａと、基礎１Ａ上に建てられた上部構造体２Ａとを含む鉄骨造の住宅である。基礎１Ａは、コンクリート部１１、鋼製部材１２Ａ、及びアンカーボルト１３を有している。上部構造体２Ａは、複数の束２１Ａ、複数本の柱２２、及び複数本の梁２３等によって構成されている。上部構造体２Ａの束２１Ａは、基礎１Ａの鋼製部材１２Ａに接合されている。また、束２１Ａは、アンカーボルト１３によっても鋼製部材１２Ａに連結されている。
【００３８】
次に、基礎１Ａと上部構造体２Ａとの接合部周りにおける各部の詳細について説明する。図６（ａ）及び図６（ｂ）に示すように鋼製部材１２Ａは、埋設部１１０Ａ、及びシアコッター１２０Ａを有している。埋設部１１０Ａは、天板部１１１、底板部１１２、複数の支柱１１３、及び複数のボルト固定部１１５を有している。ボルト固定部１１５は、水平方向において隣接する支柱１１３同士を連結している。
【００３９】
シアコッター１２０Ａは、天板部１１１の上面に固定されている。シアコッター１２０Ａは、コンクリート部１１の上面から突出している（図５参照）。シアコッター１２０Ａは、天板部１１１の上面から上方に向かって突出する部材である。本実施形態において、シアコッター１２０Ａにおける水平方向の断面形状は、十字状となっている。なお、シアコッター１２０Ａの形状は、断面十字状以外の形状であってもよい。
【００４０】
アンカーボルト１３の下端は、鋼製部材１２Ａのボルト固定部１１５にナットによって連結されている。アンカーボルト１３の上端は、天板部１１１に設けられたボルト孔を介して天板部１１１の上面から上方に向かって突出している。すなわち、アンカーボルト１３の下端はコンクリート部１１に埋設され、アンカーボルト１３の上端はコンクリート部１１よりも上方の位置まで延びている。
【００４１】
図７（ａ）及び図７（ｂ）に示すように束２１Ａは、連結部２１０、及び筒部２２０Ａを有している。筒部２２０Ａは、筒本体部２２１Ａ、筒側板部２２２Ａ、及び４つの脚部２２３を有している。脚部２２３の断面形状は、略Ｌ字状となっている。４つの脚部２２３は、連結部２１０の４つの角部の位置にそれぞれ配置されている。脚部２２３の上端は、連結部２１０の角部にそれぞれ固定されている。
【００４２】
筒側板部２２２Ａは、脚部２２３の下端に固定されている。筒側板部２２２Ａには、四角形の挿入孔２２２ａが設けられている。筒側板部２２２Ａには、束２１Ａが鋼製部材１２Ａ上に載置されたときにアンカーボルト１３の上端が通されるボルト孔２２２ｃが設けられている。
【００４３】
ここで、本実施形態において束２１Ａと鋼製部材１２Ａとは、後述するようにモルタルＭも用いて接合されている。このため、アンカーボルト及びナットのみを用いて束を基礎に固定する場合のように、束のベースプレートに設けることができる孔の大きさについての制約を受けない。このためボルト孔２２２ｃは、アンカーボルト１３の直径に５ｍｍを加えた大きさよりも大きな孔とすることができる。従って、ボルト孔２２２ｃにアンカーボルト１３が通された状態であっても、アンカーボルト及びナットのみを用いて束を基礎に固定する場合と比べて、束２１Ａの水平方向の移動範囲を大きくすることができる。ボルト孔２２２ｃの大きさは、束２１Ａを鋼製部材１２Ａに載置したときに、基礎１Ａの施工誤差を吸収するために束２１Ａを移動させることができる大きさ以上とする。
【００４４】
筒本体部２２１Ａは、挿入孔２２２ａを囲むように筒側板部２２２Ａの上面に固定されている。筒本体部２２１Ａは、筒側板部２２２Ａの上面から連結部２１０の下端近傍の位置まで延びている。筒本体部２２１Ａにおける水平方向の断面形状は、四角形の枠状となっている。以下、筒本体部２２１Ａによって囲まれる空間を内部空間Ｒという。筒側板部２２２Ａの挿入孔２２２ａと、筒本体部２２１Ａの内部空間Ｒとは連通している。
【００４５】
挿入孔２２２ａは、シアコッター１２０Ａを挿通可能な大きさに形成されている。筒本体部２２１Ａは、シアコッター１２０Ａの周囲を囲むことができる大きさに形成されている。
【００４６】
次に、束２１Ａと基礎１Ａとを接合するための構成について説明する。図８に示すように、鋼製部材１２Ａの天板部１１１上に束２１Ａが載置されている。このとき、束２１Ａは、筒本体部２２１Ａによってシアコッター１２０Ａの周囲が囲まれるように天板部１１１上に載置される。アンカーボルト１３の上端は、筒部２２０Ａの筒側板部２２２Ａに設けられたボルト孔２２２ｃに通されている。天板部１１１上に束２１Ａが載置された状態で、筒本体部２２１Ａ内にはモルタルＭが充填されている。束２１Ａと鋼製部材１２Ａとは、筒本体部２２１Ａ内に充填されたモルタルＭによって互いに接合されている。
【００４７】
また、アンカーボルト１３の上端には、ワッシャー１３ｂが通されて、２つのナット１３ａが取り付けられている。ナット１３ａが締め込まれることによっても、束２１Ａは鋼製部材１２Ａに連結されている。
【００４８】
作業手順として、例えば、作業者は、束２１Ａが所定の位置に配置されるように束２１Ａを天板部１１１上に載置する。作業者は、束２１Ａの筒本体部２２１Ａ及び挿入孔２２２ａの内周面と、鋼製部材１２Ａのシアコッター１２０Ａとの隙間の分だけ、束２１Ａを水平方向に移動させることができる。その後、作業者は、アンカーボルト１３の上端にワッシャー１３ｂを通し、ナット１３ａをアンカーボルト１３の上端に取り付けることによって、束２１Ａを鋼製部材１２Ａに連結する。更に作業者は、束２１Ａの上部から連結部２１０の孔２１０ａを介して筒本体部２２１Ａ内にモルタルＭを充填し、束２１Ａと鋼製部材１２Ａとを接合する。
【００４９】
本実施形態は以上のように構成され、この鉄骨基礎梁構造では、束２１Ａの筒本体部２２１Ａ及び挿入孔２２２ａの内周面と、鋼製部材１２Ａのシアコッター１２０Ａとの隙間の分だけ、束２１Ａを水平方向に移動させて配置位置の調整を行うことができる。このため、筒本体部２２１及び挿入孔２２２ａの大きさを、基礎１Ａの水平方向の施工誤差（シアコッター１２０Ａの位置ずれ）を吸収可能な大きさに形成しておくだけで、第一実施形態と同様に、施工誤差を吸収しつつ、束２１Ａを所定の位置に設置することができる。このように、アンカーボルト及びナットのみを用いて基礎に束を固定する場合のような制限（アンカーボルトを通すベースプレートの孔の大きさの制限）が無いため、筒本体部２２１Ａ及び挿入孔２２２ａの大きさを施工誤差を吸収可能な大きさに形成しておくだけで、基礎１Ａの水平方向の施工誤差を容易に吸収することができる。
【００５０】
また、アンカーボルト１３によっても束２１Ａが鋼製部材１２Ａに連結されるため、束２１Ａと鋼製部材１２Ａとをより強固に接合することができる。この場合、例えば、アンカーボルト１３は、束２１Ａの曲げ方向の力に抵抗することができる。また、筒本体部２２１Ａとシアコッター１２０ＡとがモルタルＭによって接合された接合部は、束２１Ａのせん断力に抵抗することができる。
【００５１】
以上、本発明の実施形態について説明したが、本発明は、上記実施形態に限定されるものではない。例えば、第一実施形態に係る鉄骨基礎梁構造の変形例として、第一実施形態において説明したシアコッター１２０が束側に設けられ、筒部２２０が鋼製部材側に設けられていてもよい。具体的には、鋼製部材は、埋設部１１０と、埋設部１１０の上面から下方に向かって延びる筒部２２０を備えている。筒部２２０は、筒本体部２２１と、筒本体部２２１の上端に固定された筒側板部２２２とを有している。束は、連結部２１０から下方に向かって突出するシアコッター１２０を有している。シアコッター１２０は、コッター本体部１２１と、コッター本体部１２１の下端に固定されたコッター側板部１２２とを有している。束は、シアコッター１２０が鋼製部材の筒部２２０内に挿し込まれるように構成部材上に載置されている。構成部材と束とは、筒部２２０内に充填されたモルタルＭによって互いに接合されている。これにより、第一実施形態の変形例においても、第一実施形態と同様の作用効果を奏することができる。また、第二実施形態に係る鉄骨基礎梁構造の変形例として、上述した第一実施形態の変形例と同様に、第二実施形態において説明したシアコッター１２０Ａが束側に設けられ、筒本体部２２１Ａが鋼製部材側に設けられていてもよい。そして、束と鋼製部材とがモルタルＭ及びアンカーボルト１３を用いて接合されていてもよい。これにより、第二実施形態の変形例においても、第二実施形態と同様の作用効果を奏することができる。
【００５２】
第一実施形態、及び第一実施形態の変形例においても、第二実施形態と同様に、アンカーボルト１３も併用して、束２１と鋼製部材１２とを接合してもよい。第二実施形態、及び第二実施形態の変形例において、アンカーボルト１３を用いずに、モルタルＭのみによって束２１Ａと鋼製部材１２Ａとを接合してもよい。
【００５３】
上述した各実施形態及び各変形例において説明した束２１，２１Ａに代えて、柱（連結部材）を鋼製部材１２，１２Ａに接合してもよい。具体的には、この柱は、柱本体部の下端に、上述した筒部２２０，２２０Ａが固定されていてもよい。
【符号の説明】
【００５４】
１，１Ａ…基礎、１１…コンクリート部、１２，１２Ａ…鋼製部材、１３…アンカーボルト、１３ａ…ナット、２１，２１Ａ…束（連結部材）、１１０，１１０Ａ…埋設部、１２０，１２０Ａ…シアコッター、１２１…コッター本体部、１２２…コッター側板部、１２２ａ…コッター張出部、２２０，２２０Ａ…筒部、２２１，２２１Ａ…筒本体部、２２２，２２２Ａ…筒側板部、２２２ｂ…筒張出部、Ｍ…モルタル、Ｘ１，Ｘ２…建物。
【図１】
0006679277.tif 000002
【図２】
0006679277.tif 000003
【図３】
0006679277.tif 000004
【図４】
0006679277.tif 000005
【図５】
0006679277.tif 000006
【図６】
0006679277.tif 000007
【図７】
0006679277.tif 000008
【図８】
0006679277.tif 000009